(57)【要約】【課題】搬送部によって搬送されるシートの画像を読取部が読み取ることによって得られる画像データの品質低下を抑制できる画像読取装置を提供する。【解決手段】画像読取装置１は、第１、２搬送経路Ｐ１、Ｐ２でシートＳＨを搬送可能な搬送部４と、第２経路ＰＢ１を搬送されるシートＳＨの画像を読み取る読取部３１、３２と、第４経路ＰＤ１における合流位置Ｊ１よりも上流側に設けられ、第４経路ＰＤ１を遮蔽する第１位置と、第４経路ＰＤ１を開放する第２位置との間で変位可能なシャッター部材５０と、シャッター部材５０に連動し、第１位置に対応する第３位置と、第２位置に対応する第４位置との間で変位可能な連動部６０、７０と、連動部６０が第４位置にあるか否かを検出する検出センサＳ１と、連動部６０が第４位置にあることを検出センサＳ１が検出した場合、搬送部４を作動させ、又は作動可能な状態とするように制御する制御部Ｃ１と、を備える。【選択図】図３
2017208590.tif 000002
【特許請求の範囲】
【請求項１】
第１経路と、前記第１経路の下方に設けられる第２経路と、湾曲部を有して前記第１経路と前記第２経路とを接続する第３経路と、前記第１経路とは異なる方向から前記第３経路に所定の合流位置で合流し、前記第２経路に接続する第４経路と、を含み、前記第１経路から前記第３経路を経由して前記第２経路に至る第１搬送経路と、前記第４経路から前記第２経路に至る第２搬送経路とで、シートを搬送可能に構成された搬送部と、
前記第２経路を搬送されるシートの画像を読み取る読取部と、
前記第４経路における前記合流位置よりも上流側に設けられ、前記第４経路を遮蔽する第１位置と、前記第４経路を開放する第２位置との間で変位可能なシャッター部材と、
前記シャッター部材に連動し、前記第１位置に対応する第３位置と、前記第２位置に対応する第４位置との間で変位可能な連動部と、
前記連動部が前記第４位置にあるか否かを検出する検出センサと、
前記連動部が前記第４位置にあることを前記検出センサが検出した場合、前記搬送部を作動させ、又は前記搬送部を作動可能な状態とするように制御する制御部と、を備えていることを特徴とする画像読取装置。
【請求項２】
前記シャッター部材は、前記第２位置にある状態で、前記第４経路を通過するシートに摺接可能に構成されている請求項１記載の画像読取装置。
【請求項３】
前記検出センサは、前記第２経路における前記読取部よりも上流側に設けられ、
前記連動部は、
前記第２経路における前記読取部よりも上流側に設けられ、前記第３位置と前記第４位置との間で揺動可能に支持されたアクチュエータと、
前記シャッター部材と前記アクチュエータとの間に設けられ、前記シャッター部材の前記第１位置から前記第２位置への変位を前記アクチュエータに伝達し、前記アクチュエータを前記第３位置から前記第４位置に揺動させる伝達機構と、を有し、
前記アクチュエータは、前記第２経路を通過するシートに当接することによっても前記第３位置から前記第４位置に揺動するように構成されている請求項１又は２記載の画像読取装置。
【請求項４】
前記伝達機構は、前記アクチュエータに設けられる受動部と、
前記シャッター部材に設けられ、前記シャッター部材が前記第２位置に変位することにより前記受動部に当接し、前記アクチュエータを前記第４位置に揺動させる作動部と、を有している請求項３記載の画像読取装置。
【請求項５】
前記受動部及び前記作動部は、前記搬送部によって搬送されるシートの幅方向の外側に配置されている請求項４記載の画像読取装置。
【請求項６】
前記シャッター部材を変位可能に支持する部材と、前記アクチュエータを揺動可能に支持する部材とは、共通である請求項３乃至５のいずれか１項記載の画像読取装置。
【請求項７】
前記第２経路を上から規定する上案内面を備え、
前記アクチュエータは、前記上案内面よりも上方に位置する第１軸心周りで揺動可能に支持され、前記第１軸心よりも前記第２経路の下流側に位置する先端部が変位可能である請求項３乃至６のいずれか１項記載の画像読取装置。
【請求項８】
前記第４経路を下から規定する下案内面を備え、
前記シャッター部材は、前記下案内面よりも下方に位置する第２軸心周りで揺動可能に支持され、前記第２軸心よりも前記第４経路の下流側に位置する先端部が変位可能であり、
前記シャッター部材を前記第１位置に向けて付勢する付勢手段を備えている請求項１乃至７のいずれか１項記載の画像読取装置。
【請求項９】
前記第２位置にあるシャッター部材は、上面が前記下案内面の一部を構成する状態で、前記下案内面に形成された凹み部に収容される請求項８記載の画像読取装置。
【請求項１０】
前記読取部は、前記第２経路に対して上から対向する第１読取面を有する第１読取部を含み、
前記第４経路から前記第２経路における前記第１読取面の近傍までの区間は、略直線状に形成されている請求項１乃至９のいずれか１項記載の画像読取装置。
【請求項１１】
前記読取部は、前記第２経路に対して下から対向する第２読取面を有する第２読取部を含み、
前記第４経路から前記第２経路における前記第２読取面の近傍までの区間は、略直線状に形成されている請求項１乃至１０のいずれか１項記載の画像読取装置。
【請求項１２】
前記搬送部を収容する筐体の外装面の一部を構成して前記第４経路の最上流側を塞ぐ閉鎖位置と、前記第４経路の最上流側を開放する開放位置との間で変位可能なカバー部を備え、
前記開放位置にある前記カバー部は、前記第４経路に挿入されるシートを下から支持する支持面を有している請求項１乃至１１のいずれか１項記載の画像読取装置。
【発明の詳細な説明】
【技術分野】
【０００１】
本発明は画像読取装置に関する。
【背景技術】
【０００２】
特許文献１に従来の画像読取装置の一例が開示されている。この画像読取装置は、搬送部、第１の読取ユニット及び第２の読取ユニットを備えている。
【０００３】
搬送部は、主搬送路と、主搬送路に合流する合流搬送路とを含んでいる。主搬送路は、湾曲する中間経路によって上流側経路と下流側経路とが接続されたＵ字状の搬送経路である。合流搬送路は、主搬送路の上流側経路が延びる方向とは異なる方向から、主搬送路の中間経路に所定の合流位置で合流する。合流搬送路の最上流側には、合流搬送路に挿入される原稿を下から支持する原稿台が配置されている。原稿台には、原稿の有無を検知する原稿検知センサが設けられている。原稿検知センサの検知結果は、搬送部及び第１、２の読取ユニットを制御する制御部に伝達される。
【０００４】
第１の読取ユニットは、主搬送路における合流位置よりも下流側で、主搬送路よりも下方に配置されている。第２の読取ユニットは、主搬送路における第１の読取ユニットよりも下流側で、主搬送路よりも上方に配置されている。
【０００５】
合流搬送路から主搬送路に合流して第１、２の読取ユニットの周辺に到達するまでの区間は、Ｕ字状の主搬送路と比較して、略直線に近くなっている。
【０００６】
この画像読取装置では、搬送部が主搬送路で原稿を搬送する。また、搬送部が合流搬送路から主搬送路における合流位置よりも下流側に至る経路で原稿を搬送する。そして、第１、２の読取ユニットは、主搬送路における合流位置よりも下流側を搬送されるシートの画像を読み取る。
【０００７】
この際、この画像読取装置では、第１、２の読取ユニットによって色基準部材を読み取ることでシェーディング補正データを生成する。そのシェーディング補正データは、第１、２の読取ユニットが原稿の画像を読み取って得られる画像データの品質維持のため、第１、２の読取ユニットの読取動作時の補正に利用される。
【先行技術文献】
【特許文献】
【０００８】
【特許文献１】特許第５５４６８４５号公報
【発明の概要】
【発明が解決しようとする課題】
【０００９】
しかし、上記従来の画像読取装置では、合流搬送路から主搬送路に合流して第１、２の読取ユニットの周辺に到達するまでの区間が略直線に近くなっていることから、合流搬送路の上流側から差し込む外光が第１、２の読取ユニットの周辺に到達し易いという問題がある。そして、このような外光が第１、２の読取ユニットに入ると、第１、２の読取ユニットによって色基準部材を読み取ることでシェーディング補正データを生成する際に、補正データを精度よく取得することができなくなる可能性がある。その結果、第１、２の読取ユニットが原稿の画像を読み取って得られる画像データの品質が低下する可能性がある。
【００１０】
本発明は、上記従来の実情に鑑みてなされたものであって、搬送部によって搬送されるシートの画像を読取部が読み取ることによって得られる画像データの品質低下を抑制できる画像読取装置を提供することを目的とする。
【課題を解決するための手段】
【００１１】
本発明の画像読取装置は、第１経路と、前記第１経路の下方に設けられる第２経路と、湾曲部を有して前記第１経路と前記第２経路とを接続する第３経路と、前記第１経路とは異なる方向から前記第３経路に所定の合流位置で合流し、前記第２経路に接続する第４経路と、を含み、前記第１経路から前記第３経路を経由して前記第２経路に至る第１搬送経路と、前記第４経路から前記第２経路に至る第２搬送経路とで、シートを搬送可能に構成された搬送部と、
前記第２経路を搬送されるシートの画像を読み取る読取部と、
前記第４経路における前記合流位置よりも上流側に設けられ、前記第４経路を遮蔽する第１位置と、前記第４経路を開放する第２位置との間で変位可能なシャッター部材と、
前記シャッター部材に連動し、前記第１位置に対応する第３位置と、前記第２位置に対応する第４位置との間で変位可能な連動部と、
前記連動部が前記第４位置にあるか否かを検出する検出センサと、
前記連動部が前記第４位置にあることを前記検出センサが検出した場合、前記搬送部を作動させ、又は前記搬送部を作動可能な状態とするように制御する制御部と、を備えていることを特徴とする。
【００１２】
本発明の画像読取装置では、搬送部が第１搬送経路でシートを搬送する場合、第１位置にあるシャッター部材は、第４経路を遮蔽する。また、搬送部が第２搬送経路でシートを搬送する場合、シャッター部材は、第２位置に変位して、第４経路を開放する。この際、第２位置に変位したシャッター部材が第４経路を通過するシートと第４経路との隙間を狭くする。このようなシャッター部材により、この画像読取装置では、第４経路の上流側から差し込む外光が読取部の周辺に到達することを抑制できる。その結果、読取部によって白基準及び黒基準を読み取ることで補正データを生成する際に、読取部が外光の影響を受けることを抑制できるので、読取部が補正データを精度よく取得することができる。
【００１３】
したがって、本発明の画像読取装置では、搬送部によって搬送されるシートの画像を読取部が読み取ることによって得られる画像データの品質低下を抑制できる。
【００１４】
また、この画像読取装置では、シャッター部材の変位は、シャッター部材と連動する連動部によって、検出センサによるシートの検出に利用され、その検出センサの検出結果に基づいて、制御部が搬送部を制御する。つまり、この画像読取装置では、シャッター部材が検出センサ及び制御部のための構成部材を兼ねるので、部品点数を削減でき、その結果、製造コストの低廉化を実現できる。
【図面の簡単な説明】
【００１５】
【図１】実施例１の画像読取装置の斜視図である。
【図２】実施例１の画像読取装置の模式正面図である。
【図３】実施例１の画像読取装置の模式部分断面図である。
【図４】実施例１の画像読取装置の部分斜視図である。
【図５】実施例１の画像読取装置の模式部分断面図である。
【図６】実施例１の画像読取装置の模式部分断面図である。
【図７】第１シュート部材及び第１カバー部材を取り除いた状態の開閉部を示す部分斜視図である。
【図８】第２シュート部材、シャッター部材及びアクチュエータを示す分解斜視図である。
【図９】図７のＡ部を示す部分斜視図である。
【図１０】図７のＢ部を示す部分斜視図である。
【図１１】図７のＣ部を示す部分斜視図である。
【図１２】シャッター部材、アクチュエータ、伝達機構及び検出センサの動作を説明する模式図である。
【図１３】シャッター部材、アクチュエータ、伝達機構及び検出センサの動作を説明する模式図である。
【図１４】シャッター部材、アクチュエータ、伝達機構及び検出センサの動作を説明する模式図である。
【図１５】実施例２の画像読取装置に係り、シャッター部材、アクチュエータ、伝達機構及び検出センサの動作を説明する模式図である。
【図１６】実施例２の画像読取装置に係り、シャッター部材、アクチュエータ、伝達機構及び検出センサの動作を説明する模式図である。
【図１７】実施例３の画像読取装置に係り、シャッター部材、アクチュエータ、伝達機構及び検出センサの動作を説明する模式図である。
【図１８】実施例３の画像読取装置に係り、シャッター部材、アクチュエータ、伝達機構及び検出センサの動作を説明する模式図である。
【図１９】実施例４の画像読取装置に係り、シャッター部材、アクチュエータ、伝達機構及び検出センサの動作を説明する模式図である。
【図２０】実施例４の画像読取装置に係り、シャッター部材、アクチュエータ、伝達機構及び検出センサの動作を説明する模式図である。
【発明を実施するための形態】
【００１６】
以下、本発明を具体化した実施例１〜４について図面を参照しつつ説明する。
【００１７】
（実施例１）
図１に示すように、実施例の画像読取装置１は、本発明の画像読取装置の具体的態様の一例である。図１では、操作パネル８Ｐが配置される側を装置の前方と規定し、操作パネル８Ｐに向かった場合に左手に来る側を左方と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１８】
＜全体構成＞
図１〜図６に示すように、画像読取装置１は、本体部８、開閉部９、画像形成ユニット５、読取ユニット３及び搬送部４を備えている。本体部８は、扁平な略箱状体である。図１に示すように、本体部８の前面には、タッチパネル等である操作パネル８Ｐが設けられている。操作パネル８Ｐは、画像形成ユニット５、読取ユニット３及び搬送部４を作動させるための入力を受けるとともに、それらの設定や作動状況等を表示する。
【００１９】
図２に示すように、読取ユニット３は、本体部８内の上部分に位置している。画像形成ユニット５は、本体部８内の下部分に収容されている。画像形成ユニット５は、インクジェット方式又はレーザ方式等によりシートに画像を形成する。本体部８内の下部分における画像形成ユニット５の左方には、制御部Ｃ１が収容されている。制御部Ｃ１は、画像形成ユニット５、読取ユニット３、搬送部４及び操作パネル８Ｐを制御する。
【００２０】
図３に示すように、本体部８の上面には、第１プラテンガラス８１、第２プラテンガラス８２及び枠体８Ｗが配設されている。
【００２１】
第１プラテンガラス８１の上面によって、原稿支持面８１Ａが形成されている。原稿支持面８１Ａは、静止した状態の原稿の画像を読取ユニット３が読み取る際に、その原稿を下から支持する。読取対象の原稿には、用紙、ＯＨＰシート等であるシートの他、書籍等が含まれる。
【００２２】
第２プラテンガラス８２は、第１プラテンガラス８１の左に位置して前後方向に細長く延びている。第２プラテンガラス８２の上面によって、読取ガイド面８２Ａが形成されている。読取ガイド面８２Ａは、搬送部４によって１枚ずつ搬送されるシートＳＨの画像を読取ユニット３が読み取る際に、その搬送されるシートＳＨを下から案内する。
【００２３】
なお、本実施例においては、原稿支持面８１Ａを使用して画像が読み取られる対象を原稿と記載し、搬送部４により搬送しながら画像が読み取られる対象をシートと記載する。原稿とシートとは、実質的に同じものであってもよい。
【００２４】
図示は省略するが、枠体８Ｗは、第１プラテンガラス８１及び第２プラテンガラス８２の周縁を囲っている。図３に示すように、枠体８Ｗにおける第２プラテンガラス８２の左端縁に隣接する部分には、案内部８９が形成されている。案内部８９は、枠体８Ｗの上面から上向きに突出しつつ、前後方向に延びている。案内部８９の上を向く面には、左端から右端に向かって枠体８Ｗからの高さが低くなる傾斜面８９Ａが形成されている。すなわち、傾斜面８９Ａは、読取ガイド面８２Ａに接近するように右向きに下り傾斜している。
【００２５】
図１に示すように、開閉部９は、略箱状の筐体９０を有している。筐体９０の左部分は、略箱状とされている。図３に示すように、筐体９０の左部分には、搬送部４が収容されている。図１に示すように、筐体９０の右部分は、筐体９０の左部分よりも一段低くなっており、その上面に排出トレイ９２が設けられている。排出トレイ９２の上方には、供給トレイ９１が設けられている。供給トレイ９１は、左方に延びて、筐体９０の左部分に接続している。
【００２６】
開閉部９は、本体部８の後面の上端縁近傍に配設された図示しないヒンジによって、左右方向に延びる開閉軸心Ｘ９周りで揺動可能に支持されている。開閉部９は、図１〜図６に示す閉じた状態では、原稿支持面８１Ａを上方から覆っている。図示は省略するが、開閉部９は、その前端部が上方かつ後方に変位するように開閉軸心Ｘ９周りで揺動することにより、原稿支持面８１Ａを露出させる。これにより、ユーザは読取対象の原稿を原稿支持面８１Ａに支持させることができる。
【００２７】
なお、開閉部９の構成やその内部構造について説明する際には、上下方向及び前後方向について、閉じた状態の開閉部９の姿勢を基準とする。
【００２８】
図２及び図３等に示すように、読取ユニット３は、開閉部９内に収容された第１読取部３１と、本体部８内の上部分に収容された第２読取部３２とを有している。第１、２読取部３１、３２は、本発明の「読取部」の一例である。第１、２読取部３１、３２としては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが使用される。
【００２９】
第１読取部３１は、外観形状が略直方体であり、主走査方向に延びる第１読取面３１Ａを有している。第２読取部３２も、外観形状が略直方体であり、主走査方向に延びる第２読取面３２Ａを有している。
【００３０】
図３等に示すように、本実施例では、第１読取部３１は、第１読取面３１Ａを斜め下に向けて、主走査方向が前後方向となるように配置される。第２読取部３２は、第２読取面３２Ａを上に向けて主走査方向が前後方向となるように配置される。第１読取面３１Ａ及び第２読取面３２Ａには、図示しない複数の受光素子が主走査方向に列設されている。
【００３１】
第２読取部３２は、原稿支持面８１Ａ及び読取ガイド面８２Ａの下方に位置して、図示しない走査機構に連結されている。図示しない走査機構が制御部Ｃ１に制御されて作動することにより、第２読取部３２は、主走査方向に直交する副走査方向である左右方向に往復動する。
【００３２】
原稿支持面８１Ａに支持される原稿の画像を読み取る際、図示しない走査機構は、第２読取部３２を本体部８内における原稿支持面８１Ａの下方で左右方向に往復動させる。また、搬送部４によって搬送されるシートＳＨの画像を第２読取部３２が読み取る際、図示しない走査機構は、第２読取部３２を本体部８内における読取ガイド面８２Ａの下方の静止読取位置で停止させる。
【００３３】
第１読取部３１は、第３プラテンガラス８３とともに開閉部９内に配設されている。第３プラテンガラス８３は、第１プラテンガラス８１、あるいは第２プラテンガラス８２に対して傾いた状態で配設されている。具体的には、第３プラテンガラス８３の左端から右端に向かって下向きに傾斜している。第３プラテンガラス８３の上を向く面は、第１読取面３１Ａと対向している。第３プラテンガラス８３の下を向く面は、読取ガイド面８３Ａとされている。読取ガイド面８３Ａは、搬送部４によって搬送されるシートＳＨの画像を第１読取部３１が読み取る際に、その搬送されるシートＳＨを上から案内する。
【００３４】
図２及び図３に示すように、供給トレイ９１は、搬送部４によって搬送される読取対象のシートＳＨを下から支持する。排出トレイ９２には、第１読取部３１及び第２読取部３２によって画像が読み取られ、搬送部４によって搬送されたシートＳＨが排出される。
【００３５】
図３等に示すように、搬送部４は、第１シュート部材１１０、第２シュート部材１２０、第１カバー部材１３０及び第２カバー部材１４０を含んでいる。また、搬送部４は、図７に示すように、駆動部４Ｍを含んでいる。駆動部４Ｍは、板金フレーム４Ｆ等に支持されたモータや伝達ギヤ群からなる。板金フレーム４Ｆは、第２シュート部材１２０の後端に隣接する状態で、第２カバー部材１４０に組み付けられている。駆動部４Ｍは、搬送部４を構成する供給ローラ４１、分離ローラ４２、第１搬送ローラ４４、第２搬送ローラ４５及び排出ローラ４８を駆動する。
【００３６】
図２、図３、図５及び図６に示すように、搬送部４は、第１搬送経路Ｐ１と第２搬送経路Ｐ２とを有している。図３、図５及び図６に示すように、第１搬送経路Ｐ１及び第２搬送経路Ｐ２はそれぞれ、第１シュート部材１１０、第２シュート部材１２０、第１カバー部材１３０及び第２カバー部材１４０の上面や下面等によって形成され、開閉部９内でシートＳＨの一面又は他面に当接可能に延びる複数のガイド面によって囲まれた空間として規定される。
【００３７】
よし詳しくは、図３等に示すように、搬送部４は、第１経路ＰＡ１、第２経路ＰＢ１、第３経路ＰＣ１及び第４経路ＰＤ１を含んでいる。
【００３８】
第３経路ＰＣ１は、開閉部９の左端部近傍において、左方に膨らむように湾曲する湾曲部を優位している。
【００３９】
第１経路ＰＡ１は、供給トレイ９１から開閉部９の左端部近傍まで延びている。第１経路ＰＡ１の左端は、第３経路ＰＣ１の上端部に接続している。第１経路ＰＡ１は、供給トレイ９１に連続する部分が下り傾斜し、後述する供給ローラ４１と分離ローラ４２との間にある位置を境に、上り傾斜している。
【００４０】
第２経路ＰＢ１は、第１経路ＰＡ１の下方に位置している。第２経路ＰＢ１の左端は、第３経路ＰＣ１の下端部に接続している。第２経路ＰＢ１は、開閉部９の左端部近傍から排出トレイ９２まで延びている。第２経路ＰＢ１は、開閉部９の左端部近傍から読取ガイド面８２Ａに接近するように下り傾斜し、読取ガイド面８２Ａに沿って略水平に右方に延びた後、排出トレイ９２に向かって上り傾斜している。
【００４１】
第２経路ＰＢ１は、読取ガイド面８２Ａに沿って略水平に右方に延びる部分、すなわち、第３経路ＰＣ１よりも下方に位置する所定の部分を基準部ＰＢ１０として、第１傾斜部ＰＢ１１と第２傾斜部ＰＢ１２とを含んでいる。第２読取部３２の第２読取面３２Ａは、第２プラテンガラス８２の読取ガイド面８２Ａを介して、基準部ＰＢ１０に下から対向する。
【００４２】
第１傾斜部ＰＢ１１は、第２経路ＰＢ１のうち、開閉部９の左端部近傍から読取ガイド面８２Ａに接近するように下り傾斜する部分、すなわち、第３経路ＰＣ１の下端部から基準部ＰＢ１０に向かって下り傾斜する部分である。
【００４３】
第２傾斜部ＰＢ１２は、第２経路ＰＢ１のうち、読取ガイド面８２Ａの右方から排出トレイ９２に向かって上り傾斜する部分である。
【００４４】
第４経路ＰＤ１は、開閉部９の左端部から右向きに下り傾斜するように延びている。第４経路ＰＤ１は、第３経路ＰＣ１の湾曲部における下部分であって、第２経路ＰＢ１と第３経路ＰＣ１との接続位置よりも手前で第３経路ＰＣ１に合流し、第２経路ＰＢ１に接続する。第４経路ＰＤ１が第３経路ＰＣ１に合流する位置を所定の合流位置Ｊ１とする。つまり、第４経路ＰＤ１は、第１経路ＰＡ１とは異なる方向から第３経路ＰＣ１に所定の合流位置Ｊ１で合流し、第２経路ＰＢ１に接続する。
【００４５】
第１搬送経路Ｐ１は、第１経路ＰＡ１から第３経路ＰＣ１を経由して第２経路ＰＢ１に至る経路である。第２搬送経路Ｐ２は、第４経路ＰＤ１から第２経路ＰＢ１に至る経路である。
【００４６】
搬送部４は、第１搬送経路Ｐ１と第２搬送経路Ｐ２とでシートＳＨを搬送可能に構成されている。搬送部４が第１搬送経路Ｐ１でシートＳＨを搬送する場合におけるシートＳＨの搬送方向は、第１経路ＰＡ１では左向きであり、第３経路ＰＣ１では左向きから変化して右向きになり、第２経路ＰＢ１では右向きである。一方、搬送部４が第２搬送経路Ｐ２でシートＳＨを搬送する場合におけるシートＳＨの搬送方向は、第４経路ＰＤ１及び第２経路ＰＢ１で右向きである。本実施例では、搬送部４によって搬送されるシートＳＨの幅方向は、前後方向である。なお、第１、２搬送経路Ｐ１、Ｐ２が延びる方向や形状は、一例である。
【００４７】
第１シュート部材１１０は、その上面によって、第１経路ＰＡ１を規定する第１ガイド面１１１を形成している。第１ガイド面１１１は、第１経路ＰＡ１を搬送されるシートＳＨに下から当接可能に延在し、第１経路ＰＡ１においてシートＳＨを下から案内する。
【００４８】
第１シュート部材１１０の左端部には、上湾曲面１１６が形成されている。上湾曲面１１６は、第３経路ＰＣ１の上部分を規定している。上湾曲面１１６は、第３経路ＰＣ１の上部分を搬送されるシートＳＨに下及び右から当接可能に延在し、第３経路ＰＣ１の上部分においてシートＳＨを下及び右から案内する。
【００４９】
図３及び図７等に示すように、第２シュート部材１２０は、第１シュート部材１１０の下方に配置され、ネジ等の締結部材によって、第１シュート部材１１０とともに第２カバー部材１４０に固定されている。図８に示すように、第２シュート部材１２０の上面には、後述する検出センサＳ１及びアクチュエータ６０を含む各種の部品を取り付けるための凹凸や取付穴等が形成されている。第２シュート部材１２０の前端には、前壁１２０Ａが形成されている。第２シュート部材１２０の後端には、後壁１２０Ｂが形成されている。前壁１２０Ａ及び後壁１２０Ｂはそれぞれ、上下方向及び前後方向に延在している。前壁１２０Ａ及び後壁１２０Ｂのそれぞれの左端部は、第２シュート部材１２０の他の部分よりも左方に突出している。
【００５０】
図３等に示すように、第２シュート部材１２０の左端部には、下湾曲面１２６が形成されている。下湾曲面１２６は、第３経路ＰＣ１の下部分を規定している。下湾曲面１２６は、第３経路ＰＣ１の下部分を搬送されるシートＳＨに右及び上から当接可能に延在し、第３経路ＰＣ１の下部分においてシートＳＨを右及び上から案内する。
【００５１】
第２シュート部材１２０の下面は、下湾曲面１２６に接続して右向きに下り傾斜している。第２シュート部材１２０は、その下面によって、第２経路ＰＢ１の第１傾斜部ＰＢ１１を規定する第２ガイド面１２２を形成している。第２ガイド面１２２は、第１傾斜部ＰＢ１１を搬送されるシートＳＨに上から当接可能に延在し、第１傾斜部ＰＢ１１においてシートＳＨを上から案内する。第２ガイド面１２２は、本発明の「上案内面」の一例である。
【００５２】
第２シュート部材１２０には、収容部１２９が上向きに凹設されている。収容部１２９は、前後方向に長い略直方体形状の空間である。収容部１２９の内部には、第１読取部３１が保持されている。収容部１２９は、第３プラテンガラス８３によって塞がれている。収容部１２９に保持された第１読取部３１は、第１経路ＰＡ１よりも下方、かつ第２経路ＰＢ１の第１傾斜部ＰＢ１１よりも上方に配置されている。
【００５３】
第３プラテンガラス８３の読取ガイド面８３Ａは、第１傾斜部ＰＢ１１に沿って右向きに下り傾斜している。読取ガイド面８３Ａは、第２ガイド面１２２とともに、第１傾斜部ＰＢ１１を規定する。第１読取部３１の第１読取面３１Ａは、第３プラテンガラス８３の読取ガイド面８３Ａと平行、すなわち、第１傾斜部ＰＢ１１に沿って斜め下向きに配設されている。第１読取部３１の第１読取面３１Ａは、第３プラテンガラス８３の読取ガイド面８３Ａを介して、第１傾斜部ＰＢ１１に対向する。
【００５４】
第２シュート部材１２０の下面には、シート押さえ４９が保持されている。シート押さえ４９は、第３プラテンガラス８３の右端部に隣接する位置にあって、読取ガイド面８２Ａに上から対向している。
【００５５】
シート押さえ４９は、圧縮コイルバネによって読取ガイド面８２Ａに向けて付勢されている。シート押さえ４９の下面は、第２経路ＰＢ１の基準部ＰＢ１０を規定している。シート押さえ４９の下面は、基準部ＰＢ１０を搬送されるシートＳＨに上から当接可能に延在し、基準部ＰＢ１０においてシートＳＨを上から案内する。
【００５６】
第２シュート部材１２０の下面は、シート押さえ４９の右端部に隣接する位置から右向きに上り傾斜している。第２シュート部材１２０は、その下面によって、第２経路ＰＢ１の第２傾斜部ＰＢ１２を規定する第３ガイド面１２３を形成している。第３ガイド面１２３は、第２傾斜部ＰＢ１２を搬送されるシートＳＨに上から当接可能に延在し、第２傾斜部ＰＢ１２においてシートＳＨを上から案内する。
【００５７】
第１カバー部材１３０は、第１シュート部材１１０に対して上から組み付けられている。第１カバー部材１３０の下面には、複数のリブ１３０Ｒが形成されている。第１カバー部材１３０は、各リブ１３０Ｒの下端縁によって、第４ガイド面１３４を形成している。第４ガイド面１３４は、第１経路ＰＡ１と、第３経路ＰＣ１の上部分とを規定する。第４ガイド面１３４は、第１経路ＰＡ１を搬送されるシートＳＨに上から当接可能に延在し、第１経路ＰＡ１においてシートＳＨを上から案内する。また、第４ガイド面１３４は、第３経路ＰＣ１の上部分を搬送されるシートＳＨに上及び左から当接可能に延在し、第３経路ＰＣ１の上部分においてシートＳＨを上及び左から案内する。また、第１カバー部材１３０は、図示されていない回動軸によって開閉部９の筐体９０に回動可能に支持されている。第１カバー部材１３０を上方に回動させて開閉部９を開放することで、第１搬送経路ＰＡ１を開放し、ジャム処理等を実行可能である。
【００５８】
また、図４及び図５に示すように、開閉部９の左側壁の一部は、カバー部９９によって構成されている。カバー部９９は、前後方向に延びる開閉軸心Ｘ９９周りで揺動可能に開閉部９の筐体９０に支持されている。開閉軸心Ｘ９９は、カバー部９９の下端部に設けられており、カバー部９９の上端部が移動可能になっている。これにより、カバー部９９は、図１及び図３に示す閉鎖位置と、図４〜図６に示す開放位置との間で変位可能である。
【００５９】
カバー部９９は、図１及び図３に示す閉鎖位置にある状態で、開閉部９の左側壁の一部として機能する。また、カバー部９９は、この位置において、第４経路ＰＤ１の最上流側を塞ぐ。
【００６０】
その一方、カバー部９９は、図４〜図６に示す開放位置にある状態で、第４経路ＰＤ１の最上流側を開放する。開放位置にあるカバー部９９の上を向く面である支持面９９Ａは、図６に示すように、第４経路ＰＤ１に挿入されるシートＳＨを下から支持可能に構成されている。
【００６１】
図６に示すシートＳＨとしては、図３に示すシートＳＨと実質的に同じものであってもよい。また、第２搬送経路Ｐ２が第１搬送経路Ｐ１と比較してシートＳＨを湾曲させる程度が小さいことから、図６に示すシートＳＨとしては、図３に示すシートＳＨよりも厚いものであってもよい。なお、本実施例では、第４経路ＰＤ１の最上流側にシート分離機構が設けられてないので、第４経路ＰＤ１に挿入されるシートＳＨは、１枚に限定される。
【００６２】
第２カバー部材１４０は、前後左右に延びる比較的大きな部品であり、第１シュート部材１１０及び第２シュート部材１２０を下から支持している。図３に示すように、第２カバー部材１４０の右部分の上面は、排出トレイ９２を構成している。
【００６３】
図３等に示すように、第２カバー部材１４０には、開口１４０Ｈが上下方向に貫設されている。開口１４０Ｈは、第３プラテンガラス８３の読取ガイド面８３Ａ及びシート押さえ４９を露出させる大きさの略矩形状の開口である。
【００６４】
第２カバー部材１４０における開口１４０Ｈよりも左方には、下流側第５ガイド面１４５が形成されている。下流側第５ガイド面１４５の右端部は、下湾曲面１２６に下から対向しており、第３経路ＰＣ１の下部分を規定する。下流側第５ガイド面１４５の右端部は、第３経路ＰＣ１の下部分を搬送されるシートＳＨに下から当接可能に延在し、第３経路ＰＣ１の下部分及び第２経路ＰＢ１の第１傾斜部ＰＢ１１においてシートＳＨを下から案内する。
【００６５】
下流側第５ガイド面１４５は、その右端部から開閉部９の左端部に向かって上り傾斜している。第１シュート部材１１０には、下流側第５ガイド面１４５の左端部に接続する上流側第５ガイド面１１５が形成されている。上流側第５ガイド面１１５は、下流側第５ガイド面１４５の左端部に隣接する位置から開閉部９の左端部まで上り傾斜している。上流側第５ガイド面１１５の左端部は、カバー部９９の開閉軸心Ｘ９９の近傍に位置している。上流側第５ガイド面１１５及び下流側第５ガイド面１４５は、本発明の「下案内面」の一例である。上流側第５ガイド面１１５及び下流側第５ガイド面１４５は、第４経路ＰＤ１を搬送されるシートＳＨに下から当接可能に延在し、第４経路ＰＤ１においてシートＳＨを下から案内する。
【００６６】
第１カバー部材１３０は、各リブ１３０Ｒの第４ガイド面１３４よりも左方に位置する下端縁によって、第６ガイド面１３６を形成している。第６ガイド面１３６は、上流側第５ガイド面１１５と、下流側第５ガイド面１４５の左部分とに上から対向しつつ、開閉部９の左端部に向かって上り傾斜している。第６ガイド面１３６は、第４経路ＰＤ１を搬送されるシートＳＨに上から当接可能に延在し、第４経路ＰＤ１においてシートＳＨを上から案内する。第６ガイド面１３６と、上流側第５ガイド面１１５及び下流側第５ガイド面１４５との上下方向の間隔は、第４経路ＰＤ１の最上流側、即ち、カバー部９９に近い端部が最も広くなっている。これにより、第４経路ＰＤ１にシートＳＨを挿入し易くなっている。
【００６７】
第１カバー部材１３０は、第４ガイド面１３４の左端部と、第６ガイド面１３６の右端部とを区画する区画リブ１３１を有している。区画リブ１３１は、各リブ１３０Ｒと交差しつつ前後方向に延在し、かつ下向きに突出している。区画リブ１３１の下端部の前後方向の長さは、第４経路ＰＤ１に挿入されるシートＳＨの幅方向の長さよりも大きく設定されている。
【００６８】
第２カバー部材１４０における開口１４０Ｈより右方には、第７ガイド面１４７が形成されている。第７ガイド面１４７は、第２経路ＰＢ１の第２傾斜部ＰＢ１２を規定する。第７ガイド面１４７は、第２経路ＰＢ１の第２傾斜部ＰＢ１２を搬送されるシートＳＨに下から当接可能に延在し、第２経路ＰＢ１の第２傾斜部ＰＢ１２においてシートＳＨを下から案内する。
【００６９】
搬送部４の左端部近傍の下面には、保持部材１４１が組み付けられている。保持部材１４１には、シート押さえ１４９が保持されている。シート押さえ１４９は、下流側第５ガイド面１４５の右端部に隣接する位置にあって、第３プラテンガラス８３を介して第１読取部３１の第１読取面３１Ａに下から対向している。シート押さえ１４９は、圧縮コイルバネによって読取ガイド面８３Ａに向けて付勢されている。
【００７０】
開閉部９が閉じた状態で、シート押さえ１４９の上面と、枠体８Ｗに形成された傾斜面８９Ａとは、第１傾斜部ＰＢ１１に沿って右向きに下り傾斜する。シート押さえ１４９の上面は、第３プラテンガラス８３に対向し、傾斜面８９Ａとともに、第１傾斜部ＰＢ１１を規定する。シート押さえ１４９の上面は、第１傾斜部ＰＢ１１を通過するシートＳＨに下から当接可能に延在し、第２経路ＰＢ１の第１傾斜部ＰＢ１１においてシートＳＨを下から案内する。また、圧縮コイルバネに付勢されたシート押さえ１４９は、搬送部４によって搬送されるシートＳＨを第３プラテンガラス８３に向けて押圧する。
【００７１】
開閉部９が閉じた状態において、開口１４０Ｈは、読取ガイド面８２Ａの真上に位置し、読取ガイド面８２Ａとシート押さえ４９とを対面させる。これにより、読取ガイド面８２Ａは、第２経路ＰＢ１の基準部ＰＢ１０を規定する。読取ガイド面８２Ａは、基準部ＰＢ１０を搬送されるシートＳＨに下から当接可能に延在し、基準部ＰＢ１０においてシートＳＨを下から案内する。
【００７２】
第４経路ＰＤ１から第２経路ＰＢ１における第１、２読取面３１Ａ、３２Ａの近傍までの区間、すなわち、第４経路ＰＤ１及び第１傾斜部ＰＢ１１は、上流側第５ガイド面１１５、下流側第５ガイド面１４５、第６ガイド面１３６、第２ガイド面１２２、読取ガイド面８３Ａ、シート押さえ１４９及び傾斜面８９Ａによって、略直線状に形成されている。
【００７３】
搬送部４は、第１経路ＰＡ１のうち、供給トレイ９１に近い位置に設けられる供給ローラ４１、分離ローラ４２及び分離片４３を含んでいる。
【００７４】
供給ローラ４１と分離ローラ４２とは、第１シュート部材１１０の第１ガイド面１１１に対して上から対向する位置に設けられている。分離片４３は、第１シュート部材１１０の上面と共にシートの搬送面を形成しており、分離ローラ４２に下から対向する位置に設けられている。分離片４３は、ゴムやエラストマー等の軟質材料からなる板状体である。分離片４３は、付勢バネによって、分離ローラ４２に押圧される。
【００７５】
供給ローラ４１と分離ローラ４２とは同期回転する。供給ローラ４１は、供給トレイ９１に支持されるシートＳＨに搬送力を付与して、そのシートＳＨを分離ローラ４２に向けて送り出す。分離ローラ４２は、供給トレイ９１から第１経路ＰＡ１に送り出されるシートＳＨに接触しつつ回転し、シートＳＨを第３経路ＰＣ１に向けて搬送する。分離片４３は、分離ローラ４２によって搬送されるシートＳＨを分離ローラ４２と協働して１枚ずつに分離する。
【００７６】
搬送部４は、第１搬送ローラ４４、ピンチローラ４４Ｐ、第２搬送ローラ４５、ピンチローラ４５Ｐ、排出ローラ４８及びピンチローラ４８Ｐを有している。
【００７７】
第１搬送ローラ４４及びピンチローラ４４Ｐは、第１経路ＰＡ１において、分離ローラ４２及び分離片４３よりも下流側に配設されている。第１搬送ローラ４４及びピンチローラ４４Ｐは、分離ローラ４２及び分離片４３によって１枚ずつに分離されたシートＳＨをニップし、第３経路ＰＣ１に向かって搬送する。
【００７８】
第２搬送ローラ４５及びピンチローラ４５Ｐは、第３経路ＰＣ１と第２経路ＰＢ１との接続位置に配設されている。第２搬送ローラ４５及びピンチローラ４５Ｐは、第１搬送ローラ４４及びピンチローラ４４Ｐによって第３経路ＰＣ１を搬送されるシートＳＨをニップし、第２経路ＰＢ１の下流側に向けて搬送する。また、図６に示すように、第２搬送ローラ４５及びピンチローラ４５Ｐは、第４経路ＰＤ１に挿入されたシートＳＨをニップし、第２経路ＰＢ１の下流側に向けて搬送する。第２搬送ローラ４５及びピンチローラ４５ＰにニップされたシートＳＨは、第１傾斜部ＰＢ１１に沿って配置される第１読取部３１、及び静止読取位置に停止して基準部ＰＢ１０に対向する第２読取部３２に向けて搬送される。この際、シートＳＨは、押圧部材１４９によって、読取ガイド面８３Ａからの浮き上がりを抑制されながら搬送される。また、シートＳＨは、シート押さえ４９によって、読取ガイド面８２Ａからの浮き上がりを抑制されながら搬送される。
【００７９】
図３等に示すように、排出ローラ４８及びピンチローラ４８Ｐは、第２経路ＰＢ１の第２傾斜部ＰＢ１２の最下流側に配設されている。排出ローラ４８は、第３ガイド面１２３の右端部に隣接している。ピンチローラ４８Ｐは、第７ガイド面１４７の右端部に隣接している。排出ローラ４８及びピンチローラ４８Ｐは、読取ガイド面８２Ａ上を通過したシートＳＨをニップして、排出トレイ９２に排出する。
【００８０】
＜シャッター部材、検出センサ、アクチュエータ及び伝達機構の構成＞
図３及び図５〜図１４に示すように、画像読取装置１は、シャッター部材５０、検出センサＳ１、アクチュエータ６０及び伝達機構７０を備えている。アクチュエータ６０及び伝達機構７０は、本発明の「連動部」の一例である。
【００８１】
図８に示すように、シャッター部材５０は、前後方向に長い略矩形状の板材である。シャッター部材５０の前後方向の長さは、第４経路ＰＤ１に挿入されるシートＳＨの幅方向の長さよりも大きく設定されている。シャッター部材５０は、シャッター軸部５１Ａ、５１Ｂ及び作動部７５を有している。
【００８２】
シャッター軸部５１Ａは、シャッター部材５０の前方、かつ左方の角部から前向きに突出する略円柱体である。シャッター軸部５１Ｂは、シャッター部材５０の後方、かつ左方の角部から後向きに突出する略円柱体である。シャッター軸部５１Ａ、５１Ｂは、前後方向に延びる第２軸心Ｘ２を規定する。
【００８３】
図８及び図９に示すように、シャッター部材５０の前方のシャッター軸部５１Ａは、第２シュート部材１２０の前壁１２０Ａの左端部に貫設された支持穴１２７Ａに回動可能に支持されている。図８及び図１０に示すように、シャッター部材５０の後方のシャッター軸部５１Ｂは、第２シュート部材１２０の後壁１２０Ｂの左端部に貫設された支持穴１２７Ｂに回動可能に支持されている。これにより、シャッター部材５０は、第２軸心Ｘ２周りで揺動可能に第２シュート部材１２０に支持されている。
【００８４】
図８に示すように、作動部７５は、シャッター部材５０の右端縁から凸設されている。作動部７５は、シャッター部材５０の前方、かつ右方の角部に近い位置から右方に突出し、下向きにクランク状に屈曲した後、さらに右方に突出している。作動部７５は、伝達機構７０の一部を構成している。
【００８５】
図９に示すように、シャッター部材５０が第２シュート部材１２０に支持された状態で、作動部７５は、第２シュート部材１２０の前壁１２０Ａの近傍に配置されている。作動部７５は、第２カバー部材１４０の下流側第５ガイド面１４５よりも前方に位置している。つまり、作動部７５は、搬送部４によって搬送されるシートＳＨの幅方向の外側に配置されている。
【００８６】
図５〜図７、図９及び図１０に示すように、第２カバー部材１４０の下流側第５ガイド面１４５には、凹み部１４５Ｈが下向きに凹むように形成されている。凹み部１４５Ｈは、第４経路ＰＤ１における合流位置Ｊ１よりも上流側に設けられている。凹み部１４５Ｈの前後方向の長さは、シャッター部材５０を収容可能な長さに設定されている。第２軸心Ｘ２の位置は、下流側第５ガイド面１４５よりも下方であって、凹み部１４５Ｈ内の左端の近傍に設定されている。
【００８７】
シャッター部材５０は、第２軸心Ｘ２周りで揺動することにより、第２軸心Ｘ２よりも第４経路ＰＤ１の下流側に位置する先端部、すなわち、右端部を上下方向に変位させて、図３、図５、図１２及び図１３に示す第１位置と、図６及び図１４に示す第２位置との間で変位可能である。
【００８８】
図５等に示すように、シャッター部材５０は、第１位置にある状態では、右端部が下流側第５ガイド面１４５よりも上方に変位し、上面５０Ａが区画リブ１３１の下端部に当接することによって、第４経路ＰＤ１を遮蔽する。
【００８９】
図６等に示すように、シャッター部材５０は、第２位置にある状態では、右端部が下流側第５ガイド面１４５よりも下方に変位し、上面５０Ａが下流側第５ガイド面１４５の一部を構成する状態で凹み部１４５Ｈに収容されることによって、第４経路ＰＤ１を開放する。
【００９０】
つまり、シャッター部材５０は、第４経路ＰＤ１における合流位置Ｊ１よりも上流側で、第４経路ＰＤ１を遮蔽及び開放可能に構成されている。
【００９１】
図５及び図６等に示すように、凹み部１４５Ｈ内には、付勢バネ５９が配設されている。付勢バネ５９は、本発明の「付勢手段」の一例である。付勢バネ５９は、下端が凹み部１４５Ｈの底面に係止され、上端がシャッター部材５０の下面に係止されることにより、シャッター部材５０を図５等に示す第１位置に向けて付勢する。
【００９２】
図６に示すように、第４経路ＰＤ１にシートＳＨが挿入されると、そのシートＳＨがシャッター部材５０に当接し、付勢バネ５９の付勢力に抗して、シャッター部材５０の右端部を押し下げる。これにより、シャッター部材５０が図５等に示す第１位置から、図６等に示す第２位置に変位する。この際、付勢バネ５９に付勢されたシャッター部材５０は、シートＳＨに接触して、シートＳＨを区画リブ１３１の下端部に押し付ける。そのシートＳＨが搬送部４によって第４経路ＰＤ１を通過する際にも、シャッター部材５０がシートＳＨに摺接して、シートＳＨを区画リブ１３１の下端部に押し付ける。このため、シャッター部材５０の第２位置は、第４経路ＰＤ１に挿入されるシートＳＨの厚みによって変化する。例えば、シートＳＨが薄い場合には、シャッター部材５０の一部が凹み部１４５Ｈからはみ出し得る。なお、付勢バネ５９の付勢力は、シートＳＨを第４経路ＰＤ１にセットする際に、シートＳＨの先端が折れたり、その後のシートＳＨの搬送において、シャッター部材５０がシート搬送の抵抗とならない程度に設定される。
【００９３】
図８及び図１１に示すように、検出センサＳ１は、第２シュート部材１２０の上面における前後方向の中間部に形成されたセンサ取付部１２０Ｓに組み付けられている。図３等に示すように、検出センサＳ１は、第２経路ＰＢ１の第１傾斜部ＰＢ１１における第１、２読取部３１、３２よりも上流側に設けられている。本実施例では、検出センサＳ１は、フォトインタラプタである。図１１に示すように、検出センサＳ１は、発光部Ｓ１Ａから受光部Ｓ１Ｂに至る光路の開放又は遮断に基づく検出動作を行い、検出信号を制御部Ｃ１に伝達する。
【００９４】
図８に示すように、アクチュエータ６０は、アクチュエータ軸部６１Ａ、６１Ｂ、６１Ｃ、接続部６２、当接部６３、遮断部６４及び受動部７６を有している。
【００９５】
各アクチュエータ軸部６１Ａ、６１Ｂ、６１Ｃは、前後方向に延びる第１軸心Ｘ１を規定する略円柱体である。アクチュエータ軸部６１Ａは、互いに接続するアクチュエータ軸部６１Ｂ、６１Ｃに対して、前方に離間している。接続部６２は、第１軸心Ｘ１から離間する位置で前後方向に延びる略直線部分と、略直線部分の前端から屈曲してアクチュエータ軸部６１Ａに接続する前部分と、略直線部分の後端から屈曲してアクチュエータ軸部６１Ｂ、６１Ｃを接続している後部分とを含んでいる。遮断部６４は、接続部６２の後部分から右向きに突出する小片である。当接部６３は、アクチュエータ軸部６１Ｂとアクチュエータ軸部６１Ｃとの間から下向きに突出する小片である。
【００９６】
第２シュート部材１２０の前壁１２０Ａの左端部には、支持穴１２７Ａよりも右方に、支持穴１２８Ａが貫設されている。図示は省略するが、アクチュエータ６０のアクチュエータ軸部６１Ａは、支持穴１２８Ａに回動可能に支持されている。
【００９７】
第２シュート部材１２０の上面において、センサ取付部１２０Ｓの左方には、軸支部１２８Ｂ、１２８Ｃが形成されている。軸支部１２８Ｂは、上向きに凹む半円弧が形成された小片と、下向きに凹む半円弧が形成された小片とからなる。軸支部１２８Ｃも、軸支部１２８Ｂと同様の形状である。図示は省略するが、アクチュエータ６０のアクチュエータ軸部６１Ｂ、６１Ｃは、軸支部１２８Ｂ、１２８Ｃに回動可能に支持されている。
【００９８】
これにより、アクチュエータ６０は、第１軸心Ｘ１周りで揺動可能に第２シュート部材１２０に支持されている。つまり、シャッター部材５０を変位可能に支持する部材と、アクチュエータ６０を揺動可能に支持する部材とは、共通の第２シュート部材１２０である。
【００９９】
図８に示すように、受動部７６は、接続部６２の前部分及びアクチュエータ軸部６１Ａの後端に接続し、左向きに突出している。受動部７６は、作動部７５とともに伝達機構７０を構成している。
【０１００】
図９に示すように、アクチュエータ６０が第２シュート部材１２０に支持された状態で、受動部７６は、第２シュート部材１２０の前壁１２０Ａの近傍に配置されて、作動部７５の真下の位置まで延びている。受動部７６は、作動部７５と同様に、第２カバー部材１４０の下流側第５ガイド面１４５よりも前方に位置している。つまり、受動部７６も、搬送部４によって搬送されるシートＳＨの幅方向の外側に配置されている。図１２〜図１４に二点鎖線で示す作動部７５及び受動部７６は、検出センサＳ１や、アクチュエータの当接部６３及び遮断部６４よりも紙面手前側に位置している。
【０１０１】
アクチュエータ６０は、第１軸心Ｘ１周りで揺動することにより、第１軸心Ｘ１よりも第２経路ＰＢ１の下流側に位置する先端部、すなわち、下端部を左右方向に変位させて、図５、図１１、図１２及び図１３に示す第３位置と、図６及び図１４に示す第４位置との間で変位可能である。
【０１０２】
図５等に示すように、アクチュエータ６０が第３位置にある状態では、受動部７６は、作動部７５との間に若干の隙間を有して、作動部７５の真下に位置する。当接部６３は、第２ガイド面１２２よりも下方に突出し、第２経路ＰＢ１の第１傾斜部ＰＢ１１に交差する。遮断部６４は、検出センサＳ１における発光部Ｓ１Ａと受光部Ｓ１Ｂとの間に進入して光路を遮断する。その結果、検出センサＳ１は、アクチュエータ６０が第４位置にないことを検出する。アクチュエータ６０は、図示しないねじりコイルバネによって、図５等に示す第３位置に向けて付勢されている。第３位置は、シャッター部材５０の第１位置に対応する位置である。
【０１０３】
図６及び図１４に示すように、アクチュエータ６０は、シャッター部材５０が第１位置から第２位置に変位することに連動して、第４位置に変位する。より詳しくは、図１４に示すように、シャッター部材５０が第１位置から第２位置に変位すると、伝達機構７０において、作動部７５が下降して受動部７６に当接し、受動部７６を押し下げる。その結果、アクチュエータ６０は、図１２に示す第３位置から、図１４に示す第４位置に揺動する。
【０１０４】
図１４に示すように、アクチュエータ６０が第４位置にある状態では、当接部６３の下端部が第２経路ＰＢ１の下流側に変位して、第２経路ＰＢ１の第１傾斜部ＰＢ１１と交差しなくなる。遮断部６４は、検出センサＳ１における発光部Ｓ１Ａと受光部Ｓ１Ｂとの間から離脱して、光路を開放する。その結果、検出センサＳ１は、アクチュエータ６０が第４位置にあることを検出する。第４位置は、シャッター部材５０の第２位置に対応する位置である。
【０１０５】
なお、アクチュエータ６０は、図１３に示すように、第２経路ＰＢ１の第１傾斜部ＰＢ１１を通過するシートＳＨに当接部６３が当接することによって、シャッター部材５０とは独立して、第４位置に変位する。この場合も、検出センサＳ１は、アクチュエータ６０が第４位置にあることを検出する。
【０１０６】
＜画像読取動作＞
この画像読取装置１では、電源が投入されると、制御部Ｃ１は、第１読取部３１によって白基準及び黒基準を読み取ることで補正データを生成する。また、第２読取部３２によって別の白基準及び黒基準を読み取ることで補正データを生成する。例えば、第１読取部３１の場合、対向するシート押さえ１４９が白色に形成されており、第１読取部３１の光源を点灯させることで白基準を読み取る。また、光源を消灯させた状態で同様に読み取ることで、黒基準を読み取ることが可能である。一方、第２読取部３２の場合は、第２プラテンガラス８２よりも左側において、第２読取部３２の第２読取面３２Ａと対向する部分に、白テープが貼られており、第２読取部３２の光源を点灯させることで白基準を読み取る。また、光源を消灯させた状態で同様に白テープを読み取ることで、黒基準を読み取ることが可能である。なお、このような白基準及び黒基準の読み取りを、原稿の読取開始が指示された後に実行することも可能である。
【０１０７】
続いて、原稿支持面８１Ａに支持された原稿の画像を読み取る場合、予め、ユーザによって、読み取り対象の原稿が原稿支持面８１Ａにセットされる。そして、ユーザが操作パネル８Ｐや画像読取装置１に接続される情報端末等を対して読み取り実行の入力操作等に行うことにより、制御部Ｃ１が画像読取動作の制御を開始する。
【０１０８】
制御部Ｃ１は、読取ユニット３において図示しない走査機構を制御し、第２読取部３２を原稿支持面８１Ａの左端縁の下方である読取開始位置から右端縁の下方である読取終了位置までの間で左右方向に移動させる。そして、制御部Ｃ１は、第２読取部３２を制御し、原稿支持面８１Ａに支持された原稿の画像を読み取らせる。その後、制御部Ｃ１は、図示しない走査機構を制御し、読み取りを終えた第２読取部３２を読取ユニット３内における右端から左端に移動させ、待機位置に復帰させる。
【０１０９】
一方、この画像読取装置１では、供給トレイ９１上のシートＳＨを搬送部４によって搬送し、そのシートＳＨの画像を読み取る場合、図３に示すように、予め、ユーザによって、読み取り対象のシートＳＨが供給トレイ９１にセットされる。そして、ユーザが操作パネル８Ｐ等を対して読み取り実行の入力操作等に行うことにより、制御部Ｃ１が画像読取動作の制御を開始する。
【０１１０】
制御部Ｃ１は、読取ユニット３において図示しない走査機構を制御し、第２読取部３２を読取ガイド面８２Ａの下方である静止読取位置に停止させる。第２読取部３２の第２読取面３２Ａは、静止読取位置において、第２経路ＰＢ１の基準部ＰＢ１０に下から対向する。
【０１１１】
そして、制御部Ｃ１は、搬送部４の駆動部４Ｍを制御し、搬送部４を作動させる。搬送部４が供給トレイ９１上のシートＳＨを第１搬送経路Ｐ１に沿って順次搬送すると、そのシートＳＨは、第１経路ＰＡ１及び第３経路ＰＣ１を通過し、第２経路ＰＢ１に至る。図１３に示すように、第２経路ＰＢ１において、アクチュエータ６０は、そのシートＳＨに当接することによって、第３位置から第４位置に揺動する。検出センサＳ１は、アクチュエータ６０が第４位置にあることを検出して、制御部Ｃ１に検出信号を伝達する。制御部Ｃ１は、その検出信号に基づいて、第１、２読取部３１、３２を制御する。具体的には、検出センサＳ１が、シートＳＨがセンサ検出位置に到達したことを検出し、その時点から所定時間の経過後に、第１読取部３１、及び第２読取部３２による読取動作を開始するように制御する。第１読取部３１は、第１傾斜部ＰＢ１１を通過するシートＳＨの一面の画像を読み取る。次に、静止読取位置に停止した第２読取部３２は、基準部ＰＢ１０を通過するシートＳＨの他面の画像を読み取る。そして、画像が読み取られたシートＳＨは、第２傾斜部ＰＢ１２を通過し、排出ローラ４８及びピンチローラ４８Ｐによって、排出トレイ９２に排出される。その後、図示しない走査機構は、第２読取部３２を待機位置に復帰させる。シートＳＨの片面を読み取る場合には、第２読取部３２のみによりシートＳＨの画像を読み取る。
【０１１２】
また、開放位置にあるカバー部９９の支持面９９Ａに支持され、第４経路ＰＤ１に挿入されたシートＳＨを搬送部４によって搬送し、そのシートＳＨの画像を読み取る場合は、図５に示すように、予め、ユーザによって、カバー部９９が開放位置に変位した状態とされる。そして、図６に示すように、ユーザが第４経路ＰＤ１にシートＳＨを挿入し、そのシートＳＨの先端を第２搬送ローラ４５及びピンチローラ４５Ｐのニップ部分に接触するまで押込み、そのシートＳＨを支持面９９Ａに支持させる。
【０１１３】
この際、第４経路ＰＤ１に挿入されたシートＳＨは、シャッター部材５０に当接し、付勢バネ５９の付勢力に抗して、シャッター部材５０の右端部を押し下げる。これにより、図１４に示すように、シャッター部材５０が第１位置から第２位置に変位する。すると、伝達機構７０において、作動部７５が下降して受動部７６に当接し、受動部７６を押し下げる。その結果、アクチュエータ６０は、第３位置から第４位置に揺動する。検出センサＳ１は、アクチュエータ６０が第４位置にあることを検出して、制御部Ｃ１に検出信号を伝達する。制御部Ｃ１は、その検出信号に基づいて、読取ユニット３において図示しない走査機構を制御し、第２読取部３２を読取ガイド面８２Ａの下方である静止読取位置に停止させる。第２読取部３２の第２読取面３２Ａは、静止読取位置において、第２経路ＰＢ１の基準部ＰＢ１０に下から対向する。
【０１１４】
そして、制御部Ｃ１は、搬送部４の駆動部４Ｍを制御し、搬送部４を作動させる。図６に示すように、搬送部４は、第２搬送ローラ４５及びピンチローラ４５Ｐによって、支持面９９Ａに支持されたシートＳＨをニップし、第２搬送経路Ｐ２で搬送する。そのシートＳＨは、第２位置にあるシャッター部材５０に摺接されながら第４経路ＰＤ１を通過し、第２経路ＰＢ１に至る。この際、制御部Ｃ１は、第１、２読取部３１、３２を制御する。第１読取部３１は、第１傾斜部ＰＢ１１を通過するシートＳＨの一面の画像を読み取る。次に、静止読取位置に停止した第２読取部３２は、基準部ＰＢ１０を通過するシートＳＨの他面の画像を読み取る。そして、画像が読み取られたシートＳＨは、第２傾斜部ＰＢ１２を通過し、排出ローラ４８及びピンチローラ４８Ｐによって、排出トレイ９２に排出される。その後、図示しない走査機構は、第２読取部３２を待機位置に復帰させる。シートＳＨの片面を読み取る場合には、第２読取部３２のみによりシートＳＨの画像を読み取る。
【０１１５】
ここで、本実施形態においては、アクチュエータ６０の位置が第３位置から第４位置へ揺動することを検出センサＳ１が検出する場合が２パターン存在する。具体的に、一つ目は、供給トレイ９１から搬送されるシートＳＨが、第２経路ＰＢ１においてアクチュエータ６０に当接することにより、アクチュエータ６０が第３位置から第４位置に揺動し、検出センサＳ１がアクチュエータ６０の揺動を検出してシートＳＨの到達を検出する場合である。二つ目は、カバー部９９の支持面９９Ａから第４経路ＰＤ１に挿入されたシートＳＨがシャッター部材５０に当接し、シャッター部材５０の右端部を押し下げることに連動して、受動部７６を押し下げることにより、アクチュエータ６０が第３位置から第４位置に揺動し、検出センサＳ１がアクチュエータ６０の揺動を検出して、制御部Ｃ１が駆動部４Ｍを制御する場合である。検出センサＳ１は、どちらのパターンでアクチュエータ６０が揺動したかによって、その後に実行する制御が異なるため、検出前に、供給トレイ９１からのシートＳＨの搬送が行われるのか、カバー部９９からのシートＳＨの搬送が行われるのか、識別しておく必要がある。これは、例えば、供給トレイ９１に原稿有無センサを設けておき、原稿有が検出された場合には、供給トレイ９１からのシートＳＨの搬送と判断することができる。一方、カバー部９９に原稿有無センサを設けておくことで、カバー部９９からのシートＳＨの搬送と判断することができる。また、カバー部９９の開閉状態を検出することで、カバー部９９からのシートＳＨの搬送と判断することも可能である。
【０１１６】
なお、制御部Ｃ１が第１、２読取部３１、３２の補正データを生成するタイミングは、上記の例には限定されない。
【０１１７】
また、第２搬送経路Ｐ２でシートＳＨを搬送して画像読取動作を実行する場合の制御は、上記の例には限定されず、例えば、以下のような制御を行うことができる。すなわち、第４経路ＰＤ１に挿入されたシートＳＨに当接されたシャッター部材５０が図１４に示す第２位置に変位し、作動部７５、受動部７６及びアクチュエータ６０が連動して、検出センサＳ１がアクチュエータ６０が第４位置にあることを検出すると、制御部Ｃ１は、検出センサＳ１からの検出信号に基づいて、搬送部４を作動可能な状態として、ユーザ等からのスタート指示を待つ待機状態となる。そして、制御部Ｃ１は、スタート指示を受けて、搬送部４を作動させ、第２搬送経路Ｐ２でシートＳＨを搬送して画像読取動作を実行する。
【０１１８】
＜作用効果＞
実施例１の画像読取装置１では、図３、図１２及び図１３に示すように、搬送部４が第１搬送経路Ｐ１でシートＳＨを搬送する場合、第１位置にあるシャッター部材５０は、第４経路ＰＤ１を遮蔽する。また、図６及び図１４に示すように、搬送部４が第２搬送経路Ｐ２でシートＳＨを搬送する場合、シャッター部材５０は、第２位置に変位して、第４経路ＰＤ１を開放する。この際、第２位置に変位したシャッター部材５０が第４経路ＰＤ１を通過するシートＳＨと第４経路ＰＤ１との隙間を狭くする。このようなシャッター部材５０により、この画像読取装置１では、第４経路ＰＤ１の上流側から差し込む外光が第１、２読取部３１、３２の周辺に到達することを抑制できる。その結果、第１読取部３１によって白基準及び黒基準を読み取ることで補正データを生成する際に、第１読取部３１が外光の影響を受けることを抑制できるので、第１読取部３１が補正データを精度よく取得することができる。また、第２読取部３２によって別の白基準及び黒基準を読み取ることで補正データを生成する際に、仮に、カバー９９が開放されていたとしても、シャッター部材５０により第２読取部３２が外光の影響を受けることを抑制できるので、第２読取部３２が補正データを精度よく取得することができる。
【０１１９】
したがって、実施例１の画像読取装置１では、搬送部４によって搬送されるシートＳＨの画像を第１読取部３１及び第２読取部３２が読み取ることによって得られる画像データの品質低下を抑制できる。
【０１２０】
また、この画像読取装置１では、シャッター部材５０の変位は、シャッター部材５０と連動する連動部の一例であるアクチュエータ６０及び伝達機構７０によって、検出センサＳ１によるシートＳＨの検出に利用され、その検出センサＳ１の検出結果に基づいて、制御部Ｃ１が搬送部４を制御する。つまり、この画像読取装置１では、シャッター部材５０が第２搬送経路Ｐ２にシートＳＨが挿入されたことを検出センサＳ１に検出させる構成部材を兼ねるので、部品点数を削減でき、その結果、製造コストの低廉化を実現できる。
【０１２１】
さらに、この画像読取装置１では、図６及び図１４に示すように、搬送部４が第２搬送経路Ｐ２でシートＳＨを搬送する場合、第２位置に変位したシャッター部材５０が第４経路ＰＤ１を通過するシートＳＨに摺接して、そのシートＳＨと第４経路ＰＤ１との隙間を無くすことができる。その結果、第４経路ＰＤ１の上流側から差し込む外光が第１、２読取部３１、３２の周辺に到達することを一層抑制できる。
【０１２２】
また、この画像読取装置１では、図１３に示すように、アクチュエータ６０は、第２経路ＰＢ１の第１傾斜部ＰＢ１１を通過するシートＳＨに当接部６３が当接することによって、シャッター部材５０とは独立して第４位置に変位する。そして、検出センサＳ１は、アクチュエータ６０が第４位置にあることを検出する。つまり、検出センサＳ１は、第４経路ＰＤ１を通過するシートＳＨの検出と、第１経路ＰＡ１から第３経路ＰＣ１を経由して第２経路ＰＢ１に搬送されるシートＳＨの検出とを兼ねている。これにより、この画像読取装置１では、部品点数を一層削減できるので、製造コストの低廉化を一層実現できる。
【０１２３】
さらに、この画像読取装置１では、図８及び図１２〜図１４等に示すように、簡素な伝達機構７０により、シャッター部材５０の変位をアクチュエータ６０に確実に伝達できる。
【０１２４】
また、この画像読取装置１では、図９等に示すように、受動部７６及び作動部７５は、搬送部４によって搬送されるシートＳＨの幅方向の外側に、より詳しくは、下流側第５ガイド面１４５よりも前方に配置されている。これにより、この画像読取装置１では、受動部７６及び作動部７５がシートＳＨの搬送の妨げになることを抑制できる。
【０１２５】
さらに、この画像読取装置１では、図８等に示すように、シャッター部材５０を変位可能に支持する部材と、アクチュエータ６０を揺動可能に支持する部材とは、共通の第シュート部材１２０であるので、シャッター部材５０とアクチュエータ６０とを、特に、作動部７５と受動部７６とを、精度よく位置決めできる。
【０１２６】
また、この画像読取装置１は、図１２〜図１４等に示すように、アクチュエータ６０は、第２ガイド面１２２よりも上方に位置する第１軸心Ｘ１周りで揺動可能に支持され、第１軸心Ｘ１よりも第２経路ＰＢ１の下流側に位置する先端部、すなわち下端部が変位可能である。これにより、アクチュエータ６０が第３位置から第４位置に揺動する方向と、第２経路ＰＢ１を搬送されるシートＳＨの搬送方向とが一致するので、アクチュエータ６０がシートＳＨの搬送抵抗になることを抑制できる。
【０１２７】
さらに、この画像読取装置１は、図１２〜図１４等に示すように、シャッター部材５０は、下流側第５ガイド面１４５よりも下方に位置する第２軸心Ｘ２周りで揺動可能に支持され、第２軸心Ｘ２よりも第４経路ＰＤ１の下流側に位置する先端部、すなわち右端部が変位可能である。これにより、シャッター部材５０が第１位置から第２位置に揺動する方向と、第４経路ＰＤ１を搬送されるシートＳＨの搬送方向とが一致するので、シャッター部材５０がシートＳＨの搬送抵抗になることを抑制できる。また、シャッター部材５０は、図６に示すように、付勢バネ５９によって第１位置に向けて付勢されることで、第４経路ＰＤ１を通過するシートＳＨと第４経路ＰＤ１との隙間を確実に遮蔽することができる。その結果、第１、２読取部３１、３２の周辺に外光が到達することを一層抑制できる。
【０１２８】
また、この画像読取装置１では、図６等に示すように、第２位置にあるシャッター部材５０は、上面５０Ａが下流側第５ガイド面１４５の一部を構成する状態で、下流側第５ガイド面１４５に形成された凹み部１４５Ｈに収容される。これにより、第２位置にあるシャッター部材５０が第４経路ＰＤ１を通過するシートＳＨの搬送抵抗になることを好適に抑制できる。
【０１２９】
さらに、この画像読取装置１では、図３等に示すように、第４経路ＰＤ１から第２経路ＰＢ１における第１、２読取面３１Ａ、３２Ａの近傍までの区間、すなわち、第４経路ＰＤ１及び第１傾斜部ＰＢ１１は、上流側第５ガイド面１１５、下流側第５ガイド面１４５、第６ガイド面１３６、第２ガイド面１２２、読取ガイド面８３Ａ、シート押さえ１４９及び傾斜面８９Ａによって、略直線状に形成されている。この場合、仮にシャッター部材５０が設けられていなければ、直線状の区間の下流に位置する第１、２読取面３１Ａ、３２Ａに外光が一層到達し易い。この点、この画像読取装置１では、シャッター部材５０が第４経路ＰＤ１を効果的に遮蔽することにより、第１、２読取面３１Ａ、３２Ａの周辺に外光が到達することを確実に抑制できる。
【０１３０】
また、この画像読取装置１では、図３に示すように、閉鎖位置にあるカバー部９９によって、シートＳＨ以外の異物が第４経路ＰＤ１に入り込むことを抑制できる。また、第１経路ＰＡ１から第３経路ＰＣ１を経由して第２経路ＰＢ１に搬送されるシートＳＨの画像を第１、２読取部３１、３２が読み取る際、閉鎖位置にあるカバー部９９によっても、第１、２読取部３１、３２の周辺に外光が到達することを抑制できる。さらに、図６に示すように、開放位置にあるカバー部９９の支持面９９Ａによって第４経路ＰＤ１に挿入されるシートＳＨが下から支持されるので、ユーザがシートＳＨを第４経路ＰＤ１に挿入する作業を好適に実施できる。
【０１３１】
（実施例２）
図１５及び図１６に示すように、実施例２の画像読取装置では、実施例１に係るシャッター部材５０の代わりに、シャッター部材２５０を採用している。実施例２のその他の構成は実施例１と同様である。このため、実施例１と同一の構成については、同一の符号を付して説明を省略又は簡略する。
【０１３２】
シャッター部材２５０は、第４経路ＰＤ１を規定するガイド面（実施例１における第６ガイド面１３６）よりも上方に位置する第２軸心Ｘ２０２周りで揺動し、図１５に示す第１位置と、図１６に示す第２位置との間で変位可能である。シャッター部材２５０の前端部には、実施例１と同様に、作動部７５が形成されている。なお、実施例２では、実施例１と比較して、作動部７５及び受動部７６の寸法が若干変更されている。
【０１３３】
図１５に示すように、シャッター部材２５０は、第１位置にある状態では、第２軸心Ｘ２０２から左方に延びて第４経路ＰＤ１に交差した後、上向きに屈曲し、左向きに上り傾斜している。シャッター部材２５０は、自重によって、下向きに付勢されている。これにより、シャッター部材２５０は、第１位置にある状態で、第４経路ＰＤ１を遮蔽する。
【０１３４】
図１６に示すように、第４経路ＰＤ１にシートＳＨが挿入されると、そのシートＳＨは、シャッター部材２５０に当接し、シャッター部材２５０を押し上げる。これにより、シャッター部材２５０が第１位置から第２位置に変位する。すると、作動部７５が下降して受動部７６に当接し、受動部７６を押し下げる。その結果、アクチュエータ６０は、第３位置から第４位置に揺動する。
【０１３５】
このような構成である実施例２の画像読取装置でも、実施例１の画像読取装置と同様に、搬送部４によって搬送されるシートＳＨの画像を第１読取部３１及び第２読取部３２が読み取ることによって得られる画像データの品質低下を抑制できる。
【０１３６】
（実施例３）
図１７及び図１８に示すように、実施例３の画像読取装置では、実施例１に係るシャッター部材５０の代わりに、シャッター部材３５０を採用している。また、検出センサＳ１の位置を第２経路ＰＢ１の第１傾斜部ＰＢ１１よりも下方に変更している。さらに、実施例１に係るアクチュエータ６０の代わりに、アクチュエータ３６０を採用している。また、実施例１に係る作動部７５及び受動部７６の代わりに、作動部３７５及び受動部３７６を採用している。実施例３のその他の構成は実施例１と同様である。このため、実施例１と同一の構成については、同一の符号を付して説明を省略又は簡略する。
【０１３７】
シャッター部材３５０は、第４経路ＰＤ１を規定するガイド面（実施例１における第６ガイド面１３６）よりも上方に位置する第２軸心Ｘ３０２周りで揺動し、図１７に示す第１位置と、図１８に示す第２位置との間で変位可能である。
【０１３８】
図１７に示すように、シャッター部材３５０は、第１位置にある状態では、第２軸心Ｘ３０２から右方、かつ下方に延びて第４経路ＰＤ１に交差している。シャッター部材３５０は、自重によって、下向きに付勢されている。これにより、シャッター部材３５０は、第１位置にある状態で、第４経路ＰＤ１を遮蔽する。作動部３７５は、搬送部４によって搬送されるシートＳＨの幅方向の外側で、シャッター部材３５０の下端部から下方かつ右方に突出している。
【０１３９】
図１８に示すように、第４経路ＰＤ１にシートＳＨが挿入されると、そのシートＳＨは、シャッター部材３５０の下端部に当接し、シャッター部材３５０の下端部を押し上げる。これにより、シャッター部材３５０が第１位置から第２位置に変位する。すると、作動部３７５が右方かつ上方に変位する。
【０１４０】
アクチュエータ３６０は、第２経路ＰＢ１の第１傾斜部ＰＢ１１よりも下方に位置する第１軸心Ｘ３０１周りで揺動し、図１７に示す第３位置と、図１８に示す第４位置との間で変位可能である。
【０１４１】
図１７に示すように、アクチュエータ３６０が第３位置にある状態では、当接部３６３は、第１軸心Ｘ３０１から上方かつ右方に延びて第２経路ＰＢ１の第１傾斜部ＰＢ１１に交差する。遮断部３６４は、検出センサＳ１の光路を遮断する。受動部３７６は、搬送部４によって搬送されるシートＳＨの幅方向の外側で、第１軸心Ｘ３０１から左方に延びている。受動部３７６の左端部は、作動部３７５の下端部の近傍に位置する。
【０１４２】
図１８に示すように、シャッター部材３５０が第１位置から第２位置に変位すると、右方かつ上方に変位する作動部３７５が受動部３７６に当接し、受動部３７６を押し上げる。その結果、アクチュエータ３６０は、第３位置から第４位置に揺動する。
【０１４３】
アクチュエータ３６０が第４位置にある状態では、当接部３６３は、右端部が第２経路ＰＢ１の下流側に変位して、第２経路ＰＢ１の第１傾斜部ＰＢ１１と交差しなくなる。遮断部３６４は、検出センサＳ１の光路を開放する。
【０１４４】
このような構成である実施例３の画像読取装置でも、実施例１、２の画像読取装置と同様に、搬送部４によって搬送されるシートＳＨの画像を第１読取部３１及び第２読取部３２が読み取ることによって得られる画像データの品質低下を抑制できる。
【０１４５】
（実施例４）
図１９及び図２０に示すように、実施例４の画像読取装置では、実施例１に係るシャッター部材５０の代わりに、シャッター部材４５０を採用している。また、検出センサＳ１の位置を第２経路ＰＢ１の第１傾斜部ＰＢ１１よりも下方に変更している。さらに、実施例１に係るアクチュエータ６０の代わりに、アクチュエータ４６０を採用している。また、実施例１に係る作動部７５及び受動部７６の代わりに、作動部４７５及び受動部４７６を採用している。実施例４のその他の構成は実施例１と同様である。このため、実施例１と同一の構成については、同一の符号を付して説明を省略又は簡略する。
【０１４６】
シャッター部材４５０は、第４経路ＰＤ１を規定するガイド面（実施例１における上流側第５ガイド面１１５及び下流側第５ガイド面１４５）よりも下方に位置する第２軸心Ｘ４０２周りで揺動し、図１９に示す第１位置と、図２０に示す第２位置との間で変位可能である。
【０１４７】
図１９に示すように、シャッター部材４５０は、第１位置にある状態では、第２軸心Ｘ４０２から左方、かつ上方に延びて第４経路ＰＤ１に交差した後、左向きに屈曲して延びている。シャッター部材４５０は、付勢バネ４５９によって、上向きに付勢されている。これにより、シャッター部材４５０は、第１位置にある状態で、第４経路ＰＤ１を遮蔽する。作動部４７５は、シャッター部材４５０の第２軸心Ｘ４０２側の端部から下方かつ右方に突出している。なお、実施例４では、作動部４７５の位置は、搬送部４によって搬送されるシートＳＨの幅方向の外側には限定されない。
【０１４８】
図２０に示すように、第４経路ＰＤ１にシートＳＨが挿入されると、そのシートＳＨは、シャッター部材４５０に当接し、シャッター部材４５０を押し下げる。これにより、シャッター部材４５０が第１位置から第２位置に変位する。すると、作動部４７５が右方かつ上方に変位する。
【０１４９】
アクチュエータ４６０は、第２経路ＰＢ１の第１傾斜部ＰＢ１１よりも下方に位置する第１軸心Ｘ４０１周りで揺動し、図１９に示す第３位置と、図２０に示す第４位置との間で変位可能である。
【０１５０】
図１９に示すように、アクチュエータ４６０が第３位置にある状態では、当接部４６３は、第１軸心Ｘ４０１から上方かつ右方に延びて第２経路ＰＢ１の第１傾斜部ＰＢ１１に交差する。遮断部４６４は、検出センサＳ１の光路を遮断する。受動部４７６は、第１軸心Ｘ３０１から左方に延びている。受動部４７６の左端部は、作動部４７５の下端部の近傍に位置する。なお、実施例４では、受動部４７６の位置は、搬送部４によって搬送されるシートＳＨの幅方向の外側には限定されず、作動部４７５との相対関係によって定まる。
【０１５１】
図２０に示すように、シャッター部材４５０が第１位置から第２位置に変位すると、右方かつ上方に変位する作動部４７５が受動部４７６に当接し、受動部４７６を押し上げる。その結果、アクチュエータ４６０は、第３位置から第４位置に揺動する。
【０１５２】
アクチュエータ４６０が第４位置にある状態では、当接部４６３は、右端部が第２経路ＰＢ１の下流側に変位して、第２経路ＰＢ１の第１傾斜部ＰＢ１１と交差しなくなる。遮断部４６４は、検出センサＳ１の光路を開放する。
【０１５３】
このような構成である実施例４の画像読取装置でも、実施例１〜３の画像読取装置と同様に、搬送部４によって搬送されるシートＳＨの画像を第１読取部３１及び第２読取部３２が読み取ることによって得られる画像データの品質低下を抑制できる。
【０１５４】
以上において、本発明を実施例１〜４に即して説明したが、本発明は上記実施例１〜４に制限されるものではなく、その趣旨を逸脱しない範囲で適宜変更して適用できることはいうまでもない。
【０１５５】
実施例１〜４では、第２経路ＰＢ１に設けられた検出センサＳ１は、第４経路ＰＤ１を通過するシートＳＨの検出と、第１経路ＰＡ１から第３経路ＰＣ１を経由して第２経路ＰＢ１に搬送されるシートＳＨの検出とを兼ねているが、この構成には限定されない。例えば、第４経路ＰＤ１に検出センサＳ１とは別の検出センサを設け、シャッター部材に連動する連動部が第４位置にあるか否かを検出するようにしてもよい。
【０１５６】
また、第３経路は、湾曲部と直線部とを有して第１経路と第２経路とを接続してもよい。検出センサは、フォトインタラプタに限定されず、近接センサ、マイクロスイッチ等であってよい。
【産業上の利用可能性】
【０１５７】
本発明は画像読取装置又は複合機等に利用可能である。
【符号の説明】
【０１５８】
１…画像読取装置、ＳＨ…シート、４…搬送部
ＰＡ１…第１経路、ＰＢ１…第２経路、ＰＣ１…第３経路、ＰＤ１…第４経路
Ｊ１…所定の合流位置、Ｐ１…第１搬送経路、Ｐ２…第２搬送経路
３１、３２…読取部（３１…第１読取部、３２…第２読取部）
５０…シャッター部材、Ｓ１…検出センサ、Ｃ１…制御部
６０、７０…連動部（６０…アクチュエータ、７０…伝達機構）
７６…受動部、７５…作動部、Ｘ１…第１軸心、Ｘ２…第２軸心
１２２…上案内面（第２ガイド面）
１１５、１４５…下案内面（１１５…上流側第５ガイド面、１４５…下流側第５ガイド面）
５９…付勢手段（付勢バネ）、５０Ａ…第２位置にあるシャッター部材の上面
１４５Ｈ…凹み部、３１Ａ…第１読取面、３２Ａ…第２読取面
９０…筐体、９９…カバー部、９９Ａ…支持面
【図１】
2017208590.tif 000003
【図２】
2017208590.tif 000004
【図３】
2017208590.tif 000005
【図４】
2017208590.tif 000006
【図５】
2017208590.tif 000007
【図６】
2017208590.tif 000008
【図７】
2017208590.tif 000009
【図８】
2017208590.tif 000010
【図９】
2017208590.tif 000011
【図１０】
2017208590.tif 000012
【図１１】
2017208590.tif 000013
【図１２】
2017208590.tif 000014
【図１３】
2017208590.tif 000015
【図１４】
2017208590.tif 000016
【図１５】
2017208590.tif 000017
【図１６】
2017208590.tif 000018
【図１７】
2017208590.tif 000019
【図１８】
2017208590.tif 000020
【図１９】
2017208590.tif 000021
【図２０】
2017208590.tif 000022